(57)【要約】【課題】引き戸１を行程終端で係止する引き戸用キャッチ装置の汎用性を高める。【解決手段】キャッチ本体１５と、引き戸１側に取り付けられる被係止ピン１３と、調整具３１とから成り、キャッチ本体１５は、取付部１７から被係止ピン１３の移動経路側に延出する一対の弾性板状部１８ａ，１８ｂを備え、この一対の弾性板状部１８ａ，１８ｂは、その両弾性板状部１８ａ，１８ｂ間の基部に形成された被係止ピン保持用凹部２２を備えると共に、この被係止ピン保持用凹部２２から先端側ほど間隔が広がるように傾斜し、調整具３１は、前記一対の弾性板状部１８ａ，１８ｂを両側から把持して両弾性板状部１８ａ，１８ｂの外側への弾性変形を制限する一対の側壁部３３ａ，３３ｂを備えたもので、当該一対の弾性板状部１８ａ，１８ｂの長さ方向に位置調整自在に取り付けられている構成。【選択図】図６
2006241766.tif 000002
【特許請求の範囲】
【請求項１】
引き戸を行程終端で係止するキャッチ装置であって、キャッチ本体と、引き戸側に取り付けられる被係止ピンと、調整具とから成り、キャッチ本体は、取付部から被係止ピンの移動経路側に延出する一対の弾性板状部を備え、この一対の弾性板状部は、その両弾性板状部間の基部に形成された被係止ピン保持用凹部を備えると共に、この被係止ピン保持用凹部から先端側ほど間隔が広がるように傾斜し、調整具は、前記一対の弾性板状部を両側から把持して両弾性板状部の外側への弾性変形を制限する一対の側壁部を備えたもので、当該一対の弾性板状部の長さ方向に位置調整自在に取り付けられている、引き戸用キャッチ装置。
【請求項２】
キャッチ本体と調整具は、引き戸用ガイドレールに設けられた断面がリップ付きＣ形鋼状の部材取付用溝に取り付けられるもので、キャッチ本体の前記一対の弾性板状部は、前記部材取付用溝の外側で当該溝に沿って延出し、調整具は、前記一対の側壁部が突設された取付部の左右両側に前記部材取付用溝の両リップ部が嵌合する凹溝が形成されると共に前記一対の側壁部間で取付部を貫通するネジ孔が設けられ、このネジ孔に螺嵌し且つ先端が前記部材取付用溝の底面に圧接する張出頭部を持たない締結用ネジが設けられた、請求項１に記載の引き戸用キャッチ装置。
【請求項３】
調整具の前記一対の側壁部には、キャッチ本体の前記一対の弾性板状部の外側部分が嵌合する凹溝部が形成されている、請求項１または２に記載の引き戸用キャッチ装置。
【請求項４】
キャッチ本体の前記一対の弾性板状部の先端外側には、調整具の抜け止めとなる突出部が設けられている、請求項３に記載の引き戸用キャッチ装置。
【請求項５】
キャッチ本体には、前記一対の弾性板状部の基部の被係止ピン保持用凹部に隣接してクッション材保持用凹部が形成され、このクッション材保持用凹部に内嵌固定されたクッション材の一部が前記被係止ピン保持用凹部内に突出するように構成された、請求項１〜４の何れか１項に記載の引き戸用キャッチ装置。
【発明の詳細な説明】
【技術分野】
【０００１】
本発明は、引き戸を行程終端で係止する引き戸用キャッチ装置に関するものである。
【背景技術】
【０００２】
この種のキャッチ装置は、引き戸が行程終端に近づいたときに当該引き戸側に取り付けられた被係止ピンをキャッチ本体の一対の弾性板状部間に進入させて、当該一対の弾性板状部が弾性に抗して押し広げられときの反力で引き戸を制動させ、引き戸が行程終端に達したとき、被係止ピンを前記弾性板状部間の基部に形成された凹部で把持させるように構成されるものである。
【発明の開示】
【発明が解決しようとする課題】
【０００３】
而して、キャッチ本体の前記一対の弾性板状部の弾性の強さは、引き戸が行程終端に達するときの慣性力に見合った強さが必要であり、従来のこの種のキャッチ装置は、特許文献を挙げることはできないが、引き戸の大きさや重量に応じて設計されるもので、小型軽量タイプの引き戸用のキャッチ装置を大型大重量タイプの引き戸用キャッチ装置として使用したり、その逆に大型大重量タイプの引き戸用キャッチ装置を小型軽量タイプの引き戸用のキャッチ装置として使用することはできなかった。なぜならば、例えば前者の場合では、引き戸が行程終端において円滑且つ確実に制動停止されることができない恐れがあり、後者の場合は、引き戸を行程終端においてキャッチ装置に保持させるために手で引き戸を強く押し付ける必要が生じたりするのである。
【課題を解決するための手段】
【０００４】
本発明は上記のような従来の問題点を解消し得る引き戸用キャッチ装置を提供することを目的とするものであって、その手段を後述する実施形態の参照符号を付して示すと、引き戸１を行程終端で係止するキャッチ装置であって、キャッチ本体１５と、引き戸１側に取り付けられる被係止ピン１３と、調整具３１とから成り、キャッチ本体１５は、取付部１７から被係止ピン１３の移動経路側に延出する一対の弾性板状部１８ａ，１８ｂを備え、この一対の弾性板状部１８ａ，１８ｂは、その両弾性板状部１８ａ，１８ｂ間の基部に形成された被係止ピン保持用凹部２２を備えると共に、この被係止ピン保持用凹部２２から先端側ほど間隔が広がるように傾斜し、調整具３１は、前記一対の弾性板状部１８ａ，１８ｂを両側から把持して両弾性板状部１８ａ，１８ｂの外側への弾性変形を制限する一対の側壁部３３ａ，３３ｂを備えたもので、当該一対の弾性板状部１８ａ，１８ｂの長さ方向に位置調整自在に取り付けられた構成となっている。
【０００５】
上記構成の本発明を実施するについて、キャッチ本体１５と調整具３１は、引き戸用ガイドレール３に設けられた断面がリップ付きＣ形鋼状の部材取付用溝８に取り付けることができる。この場合、具体的には請求項２に記載のように、キャッチ本体１５の前記一対の弾性板状部１８ａ，１８ｂは、前記部材取付用溝８の外側で当該溝８に沿って延出するように配設し、調整具３１には、前記一対の側壁部３３ａ，３３ｂが突設された取付部３２の左右両側に前記部材取付用溝８の両リップ部８ａが嵌合する凹溝３４を形成すると共に、前記一対の側壁部３３ａ，３３ｂ間で取付部３２を貫通するネジ孔３５を設け、このネジ孔３５に螺嵌し且つ先端が前記部材取付用溝８の底面に圧接する張出頭部を持たない締結用ネジ３６を設け、当該締結用ネジの締め付けにより、反力で前記部材取付用溝８の両リップ部８ａの下側面と取付部３２側の凹溝３４の一側面とが互いに圧接して、前記部材取付用溝８の長さ方向に位置調整した調整具３１が固定されるように構成することができる。
【０００６】
また、請求項３に記載のように、調整具３１の前記一対の側壁部３３ａ，３３ｂには、キャッチ本体１５の前記一対の弾性板状部１８ａ，１８ｂの外側部分が嵌合する凹溝部３７を形成しておくことができる。この場合、更に請求項４に記載のように、キャッチ本体１５の前記一対の弾性板状部１８ａ，１８ｂの先端外側には、調整具３１の抜け止めとなる突出部２３ａ，２３ｂを設けておくことができる。
【０００７】
更に請求項５に記載のように、キャッチ本体１５には、前記一対の弾性板状部１８ａ，１８ｂの基部の被係止ピン保持用凹部２２に隣接してクッション材保持用凹部２１を形成し、このクッション材保持用凹部２１に内嵌固定されたクッション材２５の一部が前記被係止ピン保持用凹部２２内に突出するように構成することができる。
【発明の効果】
【０００８】
上記構成の本発明に係る引き戸用キャッチ装置によれば、引き戸側の被係止ピンが押し広げながら進入するキャッチ本体の一対の弾性板状部は、先端側ほど間隔が広がるように傾斜しているので、調整具の取付位置を前記弾性板状部の先端側に移動させると、当該調整具の一対の側壁部が両弾性板状部の先端側の間隔を狭めることになり、逆に調整具の取付位置を前記弾性板状部の基部側に移動させると、両弾性板状部の先端側の間隔を広げることになる。従って、移動させたときの慣性力が大きくなる大型大重量タイプの引き戸のキャッチ装置として使用する場合には、調整具をキャッチ本体の両弾性板状部の先端側に移動させて固定することにより、引き戸側の被係止ピンがキャッチ本体の両弾性板状部間に入り込むときの抵抗力を増大させ、十分な制動力をもって引き戸を制動できるようにし、逆に小型軽量タイプの引き戸の場合には、調整具をキャッチ本体の両弾性板状部の基部側に移動させて固定することにより、引き戸側の被係止ピンがキャッチ本体の両弾性板状部間に入り込むときの抵抗力を弱くして円滑且つ確実に被係止ピンを両弾性板状部間に入り込ませ、以て、引き戸側の被係止ピンをして常にキャッチ本体の両弾性板状部間の基部の凹部内に確実に嵌入させて引き戸を行程終端において保持させることができる。即ち、引き戸の重量に関係なく常に確実且つ円滑に所期のキャッチ作用を実行させることができるのである。
【０００９】
尚、引き戸用ガイドレールに断面がリップ付きＣ形鋼状の部材取付用溝が設けられている場合、当該部材取付用溝を利用する一般的な部材取付方法、即ち、溝内に遊嵌された板ナットを当該部材取付用溝の外側の取付部材を貫通して前記板ナットのネジ孔に螺合するボルトで引き上げて当該板ナットと取付部材とで部材取付用溝の両リップ部を挟持する部材取付方法によりキャッチ本体を取り付けることができるのであるが、調整具は、その一対の側壁部間にキャッチ本体の一対の弾性板状部が嵌合する関係から、上記のような一般的な部材取付方法を採用することが困難である。この場合に請求項２に記載の構成によれば、部材取付用溝内に遊嵌される板ナットを使用しないで調整具を、前記一対の弾性板状部の長さ方向（部材取付用溝の長さ方向）に自在に位置調整して固定することができ、しかもキャッチ本体の一対の弾性板状部と部材取付用溝の両リップ部外側面との間の間隔を十分に狭めて、装置全体を嵩低く構成することができる。
【００１０】
また、請求項３に記載の構成によれば、調整具とキャッチ本体とを一対の弾性板状部を利用して一体にしておくことができ、取り付けて使用する前の流通保管段階でのキャッチ装置の取り扱いが容易になる。この場合に請求項４に記載の構成を採用すれば、調整具をキャッチ本体の一対の弾性板状部の先端方向に移動させても当該調整具が一対の弾性板状部から外れて抜け落ちることがないので、一層取り扱いが容易になる。
【００１１】
更に請求項５に記載の構成によれば、一対の弾性板状部間に進入して制動され、最終的に基部の被係止ピン保持用凹部内に嵌入する引き戸側の被係止ピンが当該被係止ピン保持用凹部内に突出しているクッション材に当接して衝撃が緩和されるので、重量の大きな引き戸であっても行程終端で停止するときのショックが無くなるか少なくなり、衝撃音の発生も抑えることができる。
【発明を実施するための最良の形態】
【００１２】
以下に本発明の具体的実施例を添付図に基づいて説明すると、図１及び図２において、１は吊下式の引き戸であって、当該引き戸１で開閉される開口部の上側に水平に架設されている上部水平枠材２の上に敷設された引き戸用ガイドレール３に水平軸ローラー４を介して水平に横動可能に吊り下げられている。前記水平軸ローラー４を備えたローラーユニット５は、引き戸１の上部左右両端部に付設されるが、図はその一方のローラーユニット５のみが示されている。また、引き戸１は内側引き戸と外側引き戸とが前後に並設される。従って、引き戸用ガイドレール３には、内側引き戸用のガイドレール部６と外側引き戸用のガイドレール部７とが前後に並設されているが、図は内側引き戸用のガイドレール部６で支持される内側の引き戸１のみが示されている。
【００１３】
引き戸用ガイドレール３の各ガイドレール部６，７は、図２に示されるように、前記水平軸ローラー４の周溝部が嵌合する断面半円状のモノレール状のもので、そのガイドレール部６，７の内側（引き戸１のある側とは反対側）から横側方に張り出す突条部６ａ，７ａが連設されている。また、各ガイドレール部６，７の内側には、上向きに開口する部材取付用溝８，９が一体に連設されている。この部材取付用溝８，９は、断面がリップ付きＣ形鋼状のものであって、左右一対のリップ部８ａ，９ａを備えている。
【００１４】
引き戸１側のローラーユニット５は、水平軸ローラー４が軸支された取付板１０から水平軸ローラー４の左右両側位置において内側へ水平の支持板部１１，１２が折曲連設されており、引き戸１の側辺に近い側の支持板部１１の下側に、当該引き戸１を支持するガイドレール部６の内側に隣接する部材取付用溝８の真上に位置するように垂直で円柱状の被係止ピン１３が取り付けられている。１４は、水平軸ローラー４の内側位置から垂下するようにこのローラーユニット５に設けられたバネ鋼板から成る浮き上がり防止材であって、その下辺の外側への折曲部１４ａがこの引き戸１を支持するガイドレール部６の突条部６ａの下側に入り込んで、引き戸１が浮き上がって水平軸ローラー４がガイドレール部６から外れるのを防止する。
【００１５】
ローラーユニット５に取り付けられた被係止ピン１３と協働して引き戸１を行程終端で係止するキャッチ本体１５は、この引き戸１を支持するガイドレール部６に並設の部材取付用溝８の終端部に取り付けられている。尚、ガイドレール部７で支持される外側の引き戸（図示していない）に対してもキャッチ装置が必要なときは、図２に示すように、当該ガイドレール部７に並設の部材取付用溝９の終端部にもキャッチ本体１６が取り付けられ、図示されていない外側の引き戸にも、前記引き戸１に取り付けられている被係止ピン１３と同様の被係止ピンが取り付けられる。キャッチ本体１５は、図３〜図８に示すように、取付部１７と並列する一対の弾性板状部１８ａ，１８ｂとから成るもので、取付部１７には、部材取付用溝８の両リップ部８ａ間の溝巾より広い底面から当該部材取付用溝８の両リップ部８ａ間に丁度嵌合する巾の突条部２０が底面に一体に突設されている。この突条部２０は、両リップ部８ａの厚さより薄いものであり、両リップ部８ａ間に嵌合することにより、一対の弾性板状部１８ａ，１８ｂが部材取付用溝８の長さ方向と平行な向きとなるように取付部１７の向きを規制する。
【００１６】
キャッチ本体１５における取付部１７の長さ方向の一端には垂直円柱状のクッション材保持用凹部２１が設けられ、このクッション材保持用凹部２１から前記弾性板状部１８ａ，１８ｂが取付部１７の長さ方向に延出するように一体に連設されている。この一対の弾性板状部１８ａ，１８ｂは、当該両弾性板状部１８ａ，１８ｂ間の基部に形成された被係止ピン保持用凹部２２を備えると共に、この被係止ピン保持用凹部２２から先端側ほど間隔が広がるように傾斜している。更に、両弾性板状部１８ａ，１８ｂの外側面の先端部と長さ方向の中間位置とには、後述する調整具の移動範囲を規制する突出部２３ａ，２３ｂ及び２４ａ，２４ｂが突設されている。尚、前記クッション材保持用凹部２１の底には、このクッション材保持用凹部２１に内嵌されたクッション材２５を支持する突起２６（図６〜図８参照）が取付部１７から突設されている。そしてこのクッション材２５の周面の一部が前記被係止ピン保持用凹部２２内に突出するように、クッション材保持用凹部２１と被係止ピン保持用凹部２２との境界壁が切除されている。２７は取付部１７の長さ方向２箇所に垂直に設けられたボルト孔であって、これら両ボルト孔２７に上から挿入した取付用ボルト２８を、部材取付用溝８内にその長さ方向移動のみ可能に遊嵌される板ナット２９の２つのネジ孔３０に対し螺合させることができる。
【００１７】
キャッチ本体突起１５には調整具３１が組み合わせられる。この調整具３１は、キャッチ本体１５における一対の弾性板状部１８ａ，１８ｂの真下位置で部材取付用溝８に取り付けられる取付部３２と、この取付部３２から上向きに一体に突設されて一対の弾性板状部１８ａ，１８ｂを把持する左右一対の側壁部３３ａ，３３ｂとを有する。取付部３２は、その左右両側辺に部材取付用溝８の両リップ部８ａが嵌合する凹溝３４を備えると共に、一対の側壁部３３ａ，３３ｂ間において取付部３２を上下方向に貫通するネジ孔３５を備え、このネジ孔３５に締結用ネジ３６が螺嵌されている。この締結用ネジ３６は、上端に回転操作用角孔を備えているが張出頭部をもたないもので、その長さはネジ孔３５の長さとほぼ同一程度である。左右一対の側壁部３３ａ，３３ｂには、その内側に前記弾性板状部１８ａ，１８ｂの外側部分が嵌合する、当該弾性板状部１８ａ，１８ｂの板厚より浅い凹溝部３７が形成されている。
【００１８】
上記構成の調整具３１は、キャッチ本体１５の一対の弾性板状部１８ａ，１８ｂを弾性に抗して互いに接近させた状態で突出部２３ａ，２４ａ間、及び突出部２３ｂ，２４ｂ間
に左右一対の側壁部３３ａ，３３ｂが位置するように下側から一対の弾性板状部１８ａ，１８ｂに外嵌させ、外側に弾性復帰する一対の弾性板状部１８ａ，１８ｂを左右一対の側壁部３３ａ，３３ｂの凹溝部３７に嵌合させることにより、キャッチ本体１５に組み付けることができる。
【００１９】
上記のように調整具３１が組み付けられたキャッチ本体１５は、調整具３１の締結用ネジ３６とキャッチ本体１５の取付用ボルト２８を何れも弛めた状態で、調整具３１の取付部３２における左右両側の凹溝３４に部材取付用溝８の両リップ部８ａが嵌合すると共にキャッチ本体１５の板ナット２９が部材取付用溝８内に入り込むように、引き戸用ガイドレール３の一端から、若しくは部材取付用溝８の両端間適当箇所に設けられたリップ部８ａの切除箇所から調整具３１の取付部３２及びキャッチ本体１５の板ナット２９を嵌合させて、当該部材取付用溝８に沿ってスライドさせる。そしてキャッチ本体１５を定位置に位置決めしたならば、取付用ボルト２８を締結して板ナット２９を取付部１７側に引き上げ、当該板ナット２９の両側辺と取付部１７の両側辺との間で部材取付用溝８の両リップ部８ａを挟持させることにより、キャッチ本体１５をガイドレール部６の長さ方向任意の位置に固定することができる。勿論、取付用ボルト２８を弛めてキャッチ本体１５の位置を調整することができる。
【００２０】
また、調整具３１の締結用ネジ３６をねじ込んで先端を部材取付用溝８の底面に圧接させることにより、そのときの反力で浮き上がる取付部３２の左右両側の凹溝３４の下側面と当該凹溝３４に嵌合する部材取付用溝８のリップ部８ａの底面とが互いに圧接するので、調整具３１は、凹溝３４とリップ部８ａとの上下対接面間の摩擦力と締結用ネジ３６の先端と部材取付用溝８の底面との間の摩擦力とで位置固定することができる。勿論、締結用ネジ３６を弛めて調整具３１のキャッチ本体１５に対する位置を、弾性板状部１８ａ，１８ｂの突出部２３ａ，２４ａ間、及び突出部２３ｂ，２４ｂ間の範囲内で調整することができる。
【００２１】
上記の構成によれば、ガイドレール部６に沿って横動する引き戸１が、キャッチ本体１５及び調整具３１が配設された行程終端に接近すると、当該引き戸１の被係止ピン１３がキャッチ本体１５における一対の弾性板状部１８ａ，１８ｂ間に進入することになる。この一対の弾性板状部１８ａ，１８ｂは先端側ほど左右に開くように傾斜しているので、その先端入り口部分は被係止ピン１３の直径より広く、被係止ピン１３は円滑に一対の弾性板状部１８ａ，１８ｂ間に進入することができる。一対の弾性板状部１８ａ，１８ｂ間の間隔が被係止ピン１３の直径より狭くなった領域に達すると、被係止ピン１３は、引き戸１の行程終端への運動力で一対の弾性板状部１８ａ，１８ｂを弾性に抗して左右に押し広げながらこの一対の弾性板状部１８ａ，１８ｂ間を奥に進むことになり、この間の抵抗が引き戸１に対して制動力として作用し、引き戸１が行程終端に接近したとき自動的に減速される。そして引き戸１が行程終端に達したとき、被係止ピン１３は、図７に実線で示すと共に図８に仮想線で示すように、被係止ピン保持用凹部２２に嵌入し、一部分がこの被係止ピン保持用凹部２２内に突出しているクッション材２５に圧接して停止時のショックを吸収される状態で、被係止ピン１３が当該被係止ピン保持用凹部２２内に保持され、引き戸１が行程終端位置において位置決めされることになる。
【００２２】
上記のようにキャッチ本体１５と被係止ピン１３とで位置決めされた引き戸１は、キャッチ本体１５における被係止ピン保持用凹部２２内での被係止ピン保持力に抗して被係止ピン１３を引き出すように引き戸１を強く引っ張れば、位置決めが解除され、引き戸１を自由に移動させることができる。
【００２３】
先に説明したように、一対の弾性板状部１８ａ，１８ｂは先端側ほど左右に開くように傾斜しているので、この弾性板状部１８ａ，１８ｂを側壁部３３ａ，３３ｂで挟んでいる調整具３１を弾性板状部１８ａ，１８ｂの先端側に移動させるに従って当該弾性板状部１８ａ，１８ｂの先端側の間隔が狭められることになる。勿論。調整具３１を突出部２３ａ，２４ｂに当接する最先端位置まで移動させたときも、被係止ピン１３が弾性板状部１８ａ，１８ｂ間に進入するときに受ける抵抗が最大にはなるが、被係止ピン１３の弾性板状部１８ａ，１８ｂ間への進入が妨げられることはない。而して、調整具３１の側壁部３３ａ，３３ｂで挟まれた部分の弾性板状部１８ａ，１８ｂは、外側への弾性変形が調整具３１の側壁部３３ａ，３３ｂの弾性変形をも伴う必要があるため、実質的には外側への弾性変形ができない状態になる。従って、調整具３１を弾性板状部１８ａ，１８ｂの長さ方向に位置調整することにより、この弾性板状部１８ａ，１８ｂに進入してくる引き戸１側の被係止ピン１３に対して強い抵抗力（制動力）を作用させる位置を弾性板状部１８ａ，１８ｂの長さ方向に変えることになるのである。即ち、大重量タイプの引き戸の場合には、調整具３１を弾性板状部１８ａ，１８ｂの先端側に移動させて被係止ピン１３に対し早めに強い制動力を掛けたり、逆に軽量タイプの引き戸の場合には、調整具３１を弾性板状部１８ａ，１８ｂの基部側に移動させて被係止ピン１３に対して強い制動力が作用する時期を遅らせることができるのである。また、調整具３１を弾性板状部１８ａ，１８ｂの基部側（突出部２４ａ，２４ｂは無くともよい）に移動させたとき、この調整具３１による弾性板状部１８ａ，１８ｂの外側への弾性変形の制限作用が全く生じないように構成することもできる。
【図面の簡単な説明】
【００２４】
【図１】引き戸の上部一端のガイド部と本発明のキャッチ装置とを示す斜視図である。
【図２】図１の側面図である。
【図３】キャッチ装置の要部を示す分解斜視図である。
【図４】キャッチ本体の取付構造を示す側面図である。
【図５】調整具の取付構造を示す縦断側面図である。
【図６】キャッチ装置が働く前の状態を示す横断平面図である。
【図７】キャッチ装置が働いたときの状態を示す横断平面図である。
【図８】図６の縦断正面図である。
【符号の説明】
【００２５】
１    引き戸
２    上部水平枠材
３    引き戸用ガイドレール
４    水平軸ローラー
６，７    ガイドレール部
８，９    部材取付用溝
８ａ    リップ部
１３    被係止ピン
１５，１６    キャッチ本体
１７    キャッチ本体取付部
１８ａ，１８ｂ    一対の弾性板状部
２１    クッション材保持用凹部
２２    被係止ピン保持用凹部
２３ａ〜２４ｂ    突出部
２５    クッション材
２７    ボルト孔
２８    取付用ボルト
２９    板ナット
３０    ネジ孔
３１    調整具
３２    調整具取付部
３３ａ，３３ｂ    一対の側壁部
３５    ネジ孔
３６    締結用ネジ
３７    凹溝部
【図１】
2006241766.tif 000003
【図２】
2006241766.tif 000004
【図３】
2006241766.tif 000005
【図４】
2006241766.tif 000006
【図５】
2006241766.tif 000007
【図６】
2006241766.tif 000008
【図７】
2006241766.tif 000009
【図８】
2006241766.tif 000010